(57)【要約】  本発明は、内燃機関を備える車両用の燃料に添加剤を添加する装置の誤動作を診断する方法に関し、前記方法は、燃料における添加剤の量の変動を求めるために燃料を分析するステップと、先のステップ中に測定された添加剤の量の変動を前記量の理論的変動と比較するステップと、測定された変動と理論的変動との差が一定値を超える場合に情報を送信するステップとを含む。本発明はまた、前記方法を実施するように意図される、内燃機関を備える車両に対して燃料に添加剤を添加し診断を行うシステムに関する。
2015507718.tif 000002
【特許請求の範囲】
【請求項１】
内燃機関を有する車両用の燃料に少なくとも１種の添加剤を添加する装置の誤動作を診断する方法であって、
−（ａ）前記燃料における添加剤の含有量の変動を測定するために前記燃料を分析する段階と、
−（ｂ）先行する段階の間に測定された前記添加剤の含有量の前記変動とこの含有量における理論的変動とを比較する段階と、
−（ｃ）添加剤のこの含有量における前記測定された変動と前記理論的変動との差が一定値を超える場合にデータを送信する段階と、
を含むことを特徴とする方法。
【請求項２】
段階（ｃ）が、以下の構成要素、すなわち
−  添加剤添加装置、
−  前記車両の電子中央処理装置、
−  前記車両の障害を診断する中央システム
のうちの少なくとも１つにデータを送信することによって行われることを特徴とする請求項１に記載の方法。
【請求項３】
前記添加剤が、粒子フィルタの再生に役立つ添加剤、前記内燃機関における前記燃料の分配を促進する添加剤、前記内燃機関の運転の性能を向上させる添加剤、および前記内燃機関の運転の安定性を向上させる添加剤からなる群から選択されることを特徴とする請求項１または２に記載の方法。
【請求項４】
前記燃料における前記添加剤の含有量の前記変動の前記測定が、添加剤添加の後の前記燃料の分析によって得られた値から、添加剤添加の前の前記燃料の分析によって得られた値を減算することによって行われることを特徴とする請求項１〜３のいずれか一項に記載の方法。
【請求項５】
内燃機関を有する車両用の燃料添加剤添加および診断システムであって、
−  前記車両の前記内燃機関の燃料循環回路に少なくとも１種の添加剤を分配する装置と、
−  前記燃料における添加剤の含有量を測定するために前記燃料を分析する装置と、
−  前記分析装置によって得られる前記燃料の分析の結果に応じてデータを送信する手段と、
を具備することを特徴とするシステム。
【請求項６】
前記燃料を分析する装置が分光装置であることを特徴とする、請求項５に記載のシステム。
【請求項７】
前記添加剤分配装置が、
−  前記添加剤を収容するタンク（１２）と、
−  前記燃料循環回路（１）と連通し、前記添加剤を収容する前記タンク（１２）が内部に挿入されるチャンバ（２２）であって、前記チャンバ（２２）と前記タンク（１２）との間の少なくとも１つの可動かつ漏れ止め壁（３２、３３、３４）が、一方では漏れ止め分離を提供し、他方では前記タンク（１２）内の前記添加剤と前記チャンバ（２２）内の前記燃料との間で同じ圧力を維持する、チャンバと、
−  前記タンク（１２）にかつ前記燃料循環回路（１）に接続され、前記燃料循環回路（１）に前記添加剤を分配するのを可能にする、前記添加剤を注入する手段であって、前記タンク（２２）と前記燃料循環回路（１）とを接続する分配チャネル（１６、１６ａ、１６ｂ）を備える手段と、
を備えることを特徴とする、請求項５または６に記載のシステム。
【請求項８】
前記添加剤タンク（１２）が、可撓性バッグ（３２）の形態で提供され、前記可撓性バッグ（３２）が前記可動かつ漏れ止め壁を構成していることを特徴とする、請求項７に記載のシステム。
【請求項９】
前記可動かつ漏れ止め壁が、膜（３３）から構成されていることを特徴とする、請求項７または８に記載のシステム。
【請求項１０】
前記可動かつ漏れ止め壁が、ピストン（３４）から構成されていることを特徴とする、請求項７に記載のシステム。
【請求項１１】
前記添加剤分配装置が、燃料入口オリフィス（１３）と、燃料出口オリフィス（１４）と、添加剤分配オリフィス（１７）と、前記燃料入口オリフィス（１３）または前記燃料出口オリフィス（１４）と前記添加剤分配オリフィス（１７）との間の圧力差をもたらす手段（２１、２５）とを備えることを特徴とする、請求項７〜１０のいずれか一項に記載のシステム。
【請求項１２】
前記圧力差をもたらす手段が、ダイアフラムまたはベンチュリ（２１）の形態で提供されていることを特徴とする、請求項１１に記載のシステム。
【請求項１３】
前記圧力差をもたらす手段が、ろ過要素（２５）の形態で提供されていることを特徴とする、請求項１１に記載のシステム。
【請求項１４】
前記添加剤を分配する前記チャネル（１６、１６ａ、１６ｂ）を全体的にまたは部分的に封止する手段（１５）を具備することを特徴とする、請求項７〜１３のいずれか一項に記載のシステム。
【請求項１５】
前記添加剤を分配する前記チャネルを封止する前記手段（１５）が電気機械的手段であることを特徴とする、請求項１４に記載のシステム。
【請求項１６】
前記添加剤分配手段が、少なくとも１つのろ過要素（２５）を備える前記燃料のろ過装置を備えることを特徴とする、請求項７〜１５のいずれか一項に記載のシステム。
【請求項１７】
前記ろ過要素（２５）が、形状が環状であり、前記添加剤タンク（１２）が、前記ろ過要素（２５）の内側に同心状に配置されていることを特徴とする、請求項１６に記載のシステム。
【請求項１８】
前記ろ過要素（２５）が、形状が環状であり、前記添加剤タンク（１２）が、前記ろ過要素（２５）の外側に同心状に配置されていることを特徴とする、請求項１６に記載のシステム。
【請求項１９】
前記ろ過要素（２５）および前記添加剤タンク（１２）が軸方向に重なっていることを特徴とする、請求項１６に記載のシステム。
【請求項２０】
前記ろ過要素（２５）を前記燃料が横切り、前記ろ過要素（２５）が、未ろ過燃料が循環する、前記燃料タンク（２）と前記ろ過要素（２５）との間に位置する上流側（２８）と、ろ過済み燃料が循環する、前記ろ過要素（２５）と前記内燃機関との間に配置された下流側（２９）との境界を定め、前記添加剤が前記上流側（２８）から分散されることを特徴とする、請求項１６〜１９のいずれか一項に記載のシステム。
【請求項２１】
前記ろ過要素（２５）を前記燃料が横切り、前記ろ過要素（２５）が、未ろ過燃料が循環する、前記燃料タンク（２）と前記ろ過要素（２５）との間に位置する上流側（２８）と、ろ過済み燃料が循環する、前記ろ過要素（２５）と前記内燃機関との間に配置された下流側（２９）との境界を定め、前記添加剤が前記下流側（２９）から分散されることを特徴とする、ことを特徴とする、請求項１６〜１９のいずれか一項に記載のシステム。
【請求項２２】
前記添加剤分配装置が、前記添加剤が、噴射系の下流かつ前記燃料タンク（２）に向かう、前記内燃機関の燃料戻りライン（６）内に拡散されるように位置していることを特徴とする、請求項５〜１９のいずれか一項に記載のシステム。
【請求項２３】
前記可動壁（３２、３３、３４）が、前記添加剤タンク（１２）と前記上流側（２８）との間に配置されていることを特徴とする、請求項１６〜２１のいずれか一項に記載のシステム。
【請求項２４】
前記可動壁（３２、３３、３４）が、前記添加剤タンク（１２）と前記下流側（２９）との間に配置されていることを特徴とする、請求項１６〜２１のいずれか一項に記載のシステム。
【請求項２５】
前記添加剤分配装置が、一方で、前記燃料循環回路（１）に永久的に取り付けられるように意図されかつ前記燃料循環回路（１）内に添加剤を分配するチャネル（１７）を備える拡散頭部（１０）、他方で、前記ろ過要素（２５）、前記添加剤タンク（１２）および前記可動かつ漏れ止め壁（３２）を備えるカートリッジ（１１）を備え、前記カートリッジ（１１）が、前記拡散頭部（１０）に取外し可能に取り付けられていることを特徴とする、請求項１６〜２１のいずれか一項に記載のシステム。
【請求項２６】
前記添加剤が、希土類元素金属、および／または周期表の第ＩＩＡ族、第ＩＶＡ族、第ＶＩＩＡ族、第ＶＩＩＩ族、第ＩＢ族、第ＩＩＢ族、第ＩＩＩＢ族および第ＩＶＢ族から選択された金属をベースとする、粒子フィルタの再生用の添加剤であることを特徴とする、請求項５〜２５のいずれか一項に記載のシステム。
【請求項２７】
前記添加剤が、コロイド分散体の形態で提供されることを特徴とする、請求項２６に記載のシステム。
【請求項２８】
前記添加剤が、コロイド分散体の形態で提供され、その粒子がセリウムおよび／または鉄をベースとすることを特徴とする、請求項２７に記載のシステム。
【請求項２９】
前記添加剤が、有機相および少なくとも１つの両親媒性物質含む粒子のコロイド分散体と洗浄剤との組合せであることを特徴とする、請求項２７または２８に記載のシステム。
【請求項３０】
前記添加剤が、前記内燃機関における前記燃料の分配を促進し、かつ／または前記内燃機関の運転の性能を向上させ、かつ／または前記内燃機関の運転の安定性を向上させるのを可能にする添加剤であることを特徴とする、請求項５〜２５のいずれか一項に記載のシステム。
【請求項３１】
前記添加剤が、洗浄添加剤と潤滑添加剤との組合せであることを特徴とする、請求項５〜２５のいずれか一項に記載のシステム。
【発明の詳細な説明】
【技術分野】
【０００１】
本発明は、内燃機関を有する車両用の燃料に添加剤を添加する装置の誤動作を診断する方法と、この方法を実施するシステムとに関する。
【背景技術】
【０００２】
コモンレールシステムを有し非常に高圧の燃料噴射を有するディーゼルエンジン、または直噴ガソリンエンジン等、新しいエンジン技術は、非常に有効であるが、燃料の品質に対して非常に影響されやすい。
【０００３】
したがって、燃料の品質を向上させる添加剤、特にエンジンにおける燃料の分配を促進する添加剤、エンジンの運転の性能を向上させる添加剤、およびエンジンの動作の安定性を向上させる添加剤を含む燃料を使用することに利益がある。それらは、たとえば、洗浄剤、潤滑添加剤または腐食抑制剤である。
【０００４】
しかしながら、入手可能な市販の燃料の品質は、常に、エンジンに十分な添加剤を含む燃料を供給するのを可能にするとは限らない。さらに、燃料は、国際的に、ある程度の厳しい規格を満たし、そのため品質が可変である。したがって、エンジンの最適な運転のために、燃料に存在する添加剤の濃度を調整することが有利である。
【０００５】
さらに、車両、特にディーゼル車両に対する新しい排ガス規制基準を満たすために、車両には、粒子フィルタ（ＰＦ）タイプの汚染防止手段が装備されるようになっている。こうしたことは、欧州では、Ｅｕｒｏ  ５基準が施行されたため、すでに起きている。大部分の場合、定期的にすすを焼却し、したがってＰＦを再生するのを促進するために、触媒が使用される。エンジンに供給する燃料によって担持される、ＰＦを再生するための添加剤、または燃料添加触媒（Ｆｕｅｌ  Ｂｏｒｎｅ  Ｃａｔａｌｙｓｔ）（ＦＢＣ）を使用することが、触媒スートフィルタ（Ｃａｔａｌｙｓｅｄ  Ｓｏｏｔ  Ｆｉｌｔｅｒ）（ＣＳＦ）として知られる競合技術より迅速にかつ低温でＰＦを再生することが可能であるため、多くの基準を満たすことが分かった。
【０００６】
したがって、燃料に、ＰＦの再生に役立つ添加剤、および／または燃料の品質および／またはエンジンの運転および／またはその耐久性を向上させる燃料添加剤を導入するのを可能にする装置を、車両に装備することが有利である。
【０００７】
こうした添加剤、特に粒子フィルタの再生に役立つＦＢＣ触媒添加剤を燃料に導入するのを可能にするシステムがあることが知られている。これらのシステムは、一般に、最小容積が１リットル〜３リットルであり、添加剤供給源を含み、燃料タンクに近い場所に設置される必要がある、大型のタンクに基づく。
【０００８】
次いで、添加剤の計量は、一般に、追加の電子中央処理装置（ＥＣＵ）によって制御される高精度定量ポンプを使用して行われる。この計量装置は、燃料における添加剤含有量が、ＰＦの優れた再生を可能にするために十分高いが、ＰＦ内に閉じ込められたままであるＰＦ再生からの無機残留物によるＰＦの早期のファウリングをもたらすほど高くないことを確実にするために、非常に正確に管理される。
【０００９】
従来、燃料の追加に続いてタンク内の燃料のレベルが増大すると、コンピュータが、燃料内の添加剤濃度を常に一定に維持するために、どれくらいの添加剤がタンク内に注入されるべきかをポンプに通知する。
【００１０】
これらの装置（ポンプ／タンク）の集まりは、装置の誤動作を単純な方法で検出するいかなる手段も用意していない。「誤動作」という用語は、装置が添加剤を、その添加剤に必要な所望の量に反して、たとえば添加剤添加がこのパラメータの制御下にある場合に燃料の追加に続いて供給しないという事実を意味するものと理解することができる。「誤動作」という用語はまた、添加剤が添加される量が注入されるべき理論的な量と著しく異なっているという事実を意味するものとしても理解することができる。「誤動作」という用語はまた、添加剤が添加される量が、時間の経過により、理論的な量から（過剰にまたは不足して）逸脱する可能性があるという事実を意味するものとしても理解することができる。
【００１１】
誤動作には、製造機器（ポンプ、ＥＣＵ等）における故障または装置のアセンブリの不十分な接続または分岐等、複数の原因がある可能性がある。これらの場合、誤動作は、添加剤添加に対する最初の要求から現れる。それはまた、たとえば配管系のファウリングまたは閉塞、添加剤の変化または部品の摩耗に続く、経時的なドリフトである可能性もある。この場合、理論的な量に対する注入された量の差は、一般に、経時的に、急速にまたは徐々に変化する。装置の誤動作源である可能性がある他のあり得る原因も存在する。
【００１２】
誤動作時、目下実施されている装置は、一般に、添加剤添加システムの障害を直接特定しない。車両のＥＣＵは、たとえばＦＢＣの場合、特にＰＦの不十分な再生において汚染防止システムの障害を、障害の真の原因、すなわち不十分な添加剤添加または添加剤添加の欠如を特定することなく、検出する。
【００１３】
さらに、検出は、欠陥のある添加剤添加の後のある程度長い期間の後に発生する可能性があり、通常、ＰＦの再生に対して与えられる例では、誤動作は、ＰＦの再生の後、したがって、通常、添加剤添加の５００ｋｍ〜７００ｋｍ超の後、すなわち数時間後に、実際にはさらにはＰＦの再生に対する何回かの要求の後にのみ、特定されることになる。
【００１４】
この例では、この添加剤添加の故障では、ＰＦの破壊等、深刻な結果となる可能性があり、適合状態に戻るために主なコストがかかることになる可能性がある。
【００１５】
一方、過剰なＦＢＣ添加剤は、ＰＦの再生中には検出されず、それは、ＰＦは、容易に再生されるためである。ＰＦが、ＦＢＣから発生する過剰な灰によって早期に遮断される場合、車両が数万キロメートル走行した後にのみ、欠陥は明らかとなる。
【００１６】
他の燃料添加剤の場合も同じであり、この場合、他の多くのパラメータがエンジンの運転に影響を与える可能性があるため、検出にはさらに問題がある。それにも関らず、たとえば高圧ポンプまたは高圧噴射装置に対する損傷に関する結果は、これらの構成要素を交換しなければならない場合、依然として非常に重大でありかつ費用がかかる。
【００１７】
したがって、車両の添加剤添加システムの故障を迅速に検出することができることが必要であり、「迅速に」という用語は、添加剤を添加する命令および／または添加剤添加の終了に続き、１時間以内、実際にはさらには数分以内で障害を確定することができるという事実を意味するものと理解される。
【００１８】
したがって、誤動作は、注入なしに対応するか、または注入された量と理論的に注入される量との差に対応するかを判断することも有利である。これにより、障害を診断する中央システム（車載診断（Ｏｎ  Ｂｏａｒｄ  Ｄｉａｇｎｏｓｔｉｃ）（ＯＢＤ））に故障を即座に通知し、注入システムが関与していることを特定することにより、障害の原因を診断するのに役立ち、たとえば車両の縮小された使用モードのみを可能にする（たとえば出力の制限）により、車両またはいくつかの構成要素を保護するためにとられるべきあり得る迅速な作用を定義することが可能になる。
【発明の概要】
【発明が解決しようとする課題】
【００１９】
したがって、本発明の目的はこれらの必要を満たすことである。
【００２０】
より詳細には、本発明の第１目的は、燃料の添加剤添加における誤動作を診断する方法および装置を提供することである。本発明の第２目的は、動作が単純である装置を提供することである。
【課題を解決するための手段】
【００２１】
この目的で、本発明は、内燃機関を有する車両用の燃料に少なくとも１種の添加剤を添加する装置の誤動作を診断する方法に関し、この方法は、
−（ａ）燃料における添加剤の含有量の変動を測定するために燃料を分析する段階と、
−（ｂ）先行する段階の間に測定された添加剤の含有量の変動とこの含有量における理論的変動とを比較する段階と、
−（ｃ）添加剤のこの含有量における測定された変動と理論的変動との差が一定値を超える場合にデータを送信する段階と、
を含むことを特徴とする。
【００２２】
本発明はまた、上述した方法を実施する、内燃機関を有する車両用の燃料添加剤添加および診断システムであって、
−  車両の内燃機関の燃料循環回路に少なくとも１種の添加剤を分配する装置と、
−  燃料のおける添加剤の含有量の変動を測定するために燃料を分析する装置と、
−  前記分析装置によって得られる燃料の分析の結果に応じてデータを送信する手段と、
を備えることを特徴とするシステムに関する。
【００２３】
本発明の他の特徴、詳細および利点は、添付図面を参照して行う以下の説明を読むことによってさらにより十分に明らかとなろう。
【図面の簡単な説明】
【００２４】
【図１】本発明による内燃機関用の燃料循環回路における添加剤分配装置の概略図である。
【図２】図１の図と同一の概略図であり、添加剤分配装置は燃料タンク内に配置されている。
【図３】本発明の第１実施形態による添加剤分配器を示す断面図である。
【図４】燃料フィルタに添加剤分配器を組み込むことを含む本発明の他の実施形態を示す断面図である。
【図５】燃料フィルタに添加剤分配器を組み込むことを含む本発明の他の実施形態を示す断面図である。
【図６】燃料フィルタに添加剤分配器を組み込むことを含む本発明の他の実施形態を示す断面図である。
【図７】燃料フィルタに添加剤分配器を組み込むことを含む本発明の他の実施形態を示す断面図である。
【図８】燃料フィルタに添加剤分配器を組み込むことを含む本発明の他の実施形態を示す断面図である。
【図９】燃料フィルタに添加剤分配器を組み込むことを含む本発明の他の実施形態を示す断面図である。
【図１０】燃料フィルタに添加剤分配器を組み込むことを含む本発明の他の実施形態を示す断面図である。
【図１１】燃料フィルタに添加剤分配器を組み込むことを含む本発明の他の実施形態を示す断面図である。
【発明を実施するための形態】
【００２５】
本発明の方法は、燃料が、その添加剤の含有量の変動を測定する目的で分析される第１段階を含む。
【００２６】
後に分かるように、分析は、燃料における添加剤の含有量の直接測定ではなく間接的測定に、すなわち、この含有量に相関する燃料の特性またはパラメータ、たとえば燃料の吸光度の測定に基づくことができる。
【００２７】
本発明の特定の実施形態によれば、燃料における添加剤の含有量の変動の測定を、添加剤添加の後に燃料の分析によって得られる値から、添加剤添加の前に燃料の分析によって得られる値を現在することによって、行うことができる。
【００２８】
第２段階では、先行する段階で行われた測定の結果が理論的な値と比較され、測定された値と理論的な値との間のあり得る差が論証される。こうした差が検出される場合、かつこの差が事前に決められた値を超える場合、本発明の方法は、データを送信する段階を含む。
【００２９】
この一定値は、超えると誤動作していると考えられる値であり、当業者が確定することができ、すなわち、それは特に、使用される添加剤のタイプ、選択された検出装置の感度、車両および／またはエンジンのタイプ、エンジン技術のタイプ、車両によって使用される燃料のタイプ、特に車両が使用される地理的場所における現行の基準、汚染防止技術、特にＰＦのタイプ等によって決まる。
【００３０】
この値に対応する差が測定されると、データ、たとえば警告信号を、車両の１つまたは複数の構成要素に、特に、
−  添加剤注入装置に、特にこれが注入される量を自動的に再調整することができる場合、
−  車両のＥＣＵシステムに、
−  車両の故障を診断する中央システムに
送信することができる。
【００３１】
本方法を、定義された頻度で、かつ／または事象に応じて適用することができる。好ましい実施形態によれば、この方法は、添加剤の各添加の後に、添加剤添加の前に燃料の分析を注意深く行って、適用される。
【００３２】
別の好ましい実施形態によれば、この方法は、車両に対する燃料の各添加の後に適用される。
【００３３】
本方法を、連続的に行うことも可能である。
【００３４】
燃料における添加剤の存在、量および／またはこの量の変動を検出するのを可能にするあらゆる分析技法も使用することができる。この技法の選択は、添加剤および燃料によって決まる。
【００３５】
本発明の方法は、特に、燃料としてガソリンまたはディーゼルを使用するエンジンを有する車両に適用されることが留意されるべきである。
【００３６】
さらに、車両は、現場機器等の路上外走行車両、または自動車等の路上走行車両であり得る。
【００３７】
本発明の方法を、より具体的には、添加剤がＦＢＣタイプの粒子フィルタの再生用の添加剤である場合に使用することができる。
【００３８】
ここで、本発明の方法を実施するシステムについて説明する。
【００３９】
上述したように、このシステムは、車両のエンジンの燃料循環回路における添加剤分配装置と、燃料における添加剤の含有量を測定するための燃料用の分析装置と、前記分析装置によって取得される燃料の分析の結果に応じてデータを送信する手段とを備えている。
【００４０】
分析装置を、添加剤添加された燃料が循環する回路のあらゆる箇所に、特に燃料タンク内、ゲージ／ポンプモジュール内、１つまたは複数の燃料フィルタ内、エンジンに燃料を供給する回路および／または燃料をタンクに戻す回路内に、配置することができる。この装置を、特に、添加剤を燃料に注入する場所に近接して配置することができる。
【００４１】
特定の実施形態によれば、燃料分析装置は、分光装置である。
【００４２】
より具体的には、それは、燃料における添加剤の検出および添加剤の量の測定が、赤外線技術、すなわち近赤外線（通常、７８０ｎｍ〜１４００ｎｍ）、中赤外線（通常、１４００ｎｍ〜３０００ｎｍ）、実際にはさらには遠赤外線（通常、３０００ｎｍ〜１００００００ｎｍ）、可視光（通常、７８０ｎｍ〜３８０ｎｍ）、近紫外線（３８０ｎｍ〜２００ｎｍ）または極紫外線（２００ｎｍ〜１００ｎｍ）を使用する分光法に基づく。好ましくは、１９０ｎｍ〜２５００ｎｍの波長範囲で、近赤外線（すなわちＮＩＲ）、可視光または近紫外線分光法が使用される。これは、これらのタイプの分光法が、燃料の分析によく適しており、それらを、燃料の組成の変化に対して高感度の分析方法に採用することができるためである。
【００４３】
このタイプの装置は、概して、
−  選択された波長範囲をカバーする光ビームを生成するために構成された照明装置と、
−  照明装置からもたらされる光ビームが、分析される燃料と相互作用するために構成されたプローブと、
−  分析される燃料と相互作用した後に光ビームを受け取るために、かつ異なる波長範囲に対して受け取られた光の量に応じて測定値を提供するために構成されたスペクトル解析装置と、
を備えている。
【００４４】
好ましい実施形態によれば、解析装置は、所定の波長、すなわち添加剤のタイプおよび燃料のタイプ（特にガソリンまたはディーゼル）の観点から選択された波長で動作し、添加剤が添加された燃料と添加剤が添加されていない燃料との信号の最大差を生成するのを可能にするために設計されている。
【００４５】
こうした装置は、たとえば、国際公開第２００９／０４７６０５号パンフレット、同第２００９／０４７６０７号パンフレットまたは同第２００９／０４７６０８号パンフレットに記載されている。
【００４６】
これらの技術により、以下のタイプ、すなわち分散回折格子、フーリエ変換、発光ダイオード等の非可動部品分光計使用が可能になる。それらを小型化することも可能であり、発光系および検出系を、光ファイバを介して互いに接続することができる。したがって、これらの技術を、エンジンまたは車両に容易に組み込むことができる。それらはまた、頑強かつ安価である。
【００４７】
本発明の好ましい実施形態によれば、燃料の添加剤添加および診断システムは、所定の添加剤の分配装置を備えている。
【００４８】
この実施形態によれば、添加剤分配装置は、
−  添加剤を収容するタンクと、
−  燃料循環回路と連通し、添加剤を収容するタンクが内部に挿入されるチャンバであって、前記チャンバと前記タンクとの間の少なくとも１つの可動かつ漏れ止め壁が、一方では漏れ止め分離を提供し、他方ではタンク内の添加剤とチャンバ内の燃料との間で同じ圧力を維持する、チャンバと、
−  タンクにかつ燃料循環回路に接続され、燃料循環回路に添加剤を分配するのを可能にする、添加剤を注入する手段であって、タンクと燃料循環回路とを接続する分配チャネルを備える手段と、
を備えている。
【００４９】
本発明による添加剤分配装置の１つの特徴によれば、添加剤タンクは、可撓性バッグの形態で提供され、前記可撓性バッグが可動かつ漏れ止め壁を構成している。
【００５０】
本発明による添加剤分配装置の別の特徴によれば、可動かつ漏れ止め壁は、膜から構成されている。
【００５１】
本発明による添加剤分配装置のさらに別の特徴によれば、可動かつ漏れ止め壁は、ピストンから構成されている。
【００５２】
本発明による添加剤分配装置の別の特徴によれば、本装置は、燃料入口オリフィスと、燃料出口オリフィスと、添加剤分配オリフィスと、燃料入口オリフィスまたは燃料出口オリフィスと添加剤分配オリフィスとの間の圧力差をもたらす手段とを備えている。
【００５３】
本発明による添加剤分配装置の別の特徴によれば、圧力差をもたらす手段は、ダイアフラムまたはベンチュリの形態で提供されている。
【００５４】
本発明による添加剤分配装置の別の特徴によれば、圧力差をもたらす手段は、ろ過要素の形態で提供されている。
【００５５】
本発明による添加剤分配装置の別の特徴によれば、本装置は、添加剤を分配するチャネルと、添加剤を分配するチャネルを全体的にまたは部分的に封止する手段を備えている。
【００５６】
本発明による添加剤分配装置の別の特徴によれば、添加剤を分配するチャネルを封止する手段は、電気機械的手段である。
【００５７】
本発明による添加剤分配装置の別の特徴によれば、添加剤分配手段は、少なくとも１つのろ過要素を備える燃料のろ過装置を備えている。
【００５８】
本発明による添加剤分配装置の別の特徴によれば、ろ過要素は、形状が環状であり、添加剤タンクは、前記ろ過要素の内側に同心状に配置されている。
【００５９】
本発明による添加剤分配装置の別の特徴によれば、ろ過要素は、形状が環状であり、添加剤タンクは、ろ過要素の外側に同心状に配置されている。
【００６０】
本発明による添加剤分配装置の別の特徴によれば、ろ過要素および添加剤タンクは軸方向に重なっている。
【００６１】
本発明による添加剤分配装置の別の特徴によれば、ろ過要素を燃料が横切り、ろ過要素は、未ろ過燃料が循環する、燃料タンクとろ過要素との間に位置する上流側と、ろ過済み燃料が循環する、ろ過要素と内燃機関との間に配置された下流側との境界を定め、添加剤は上流側から分散される。
【００６２】
本発明による添加剤分配装置の別の特徴によれば、ろ過要素を燃料が横切り、ろ過要素は、未ろ過燃料が循環する、燃料タンクとろ過要素との間に位置する上流側と、ろ過済み燃料が循環する、ろ過要素と内燃機関との間に配置された下流側との境界を定め、添加剤は下流側から分散される。
【００６３】
本発明の別の特徴によれば、添加剤は、噴射系の下流かつ燃料タンクに向かう、内燃機関の燃料戻りライン内に拡散される。
【００６４】
本発明の別の特徴によれば、可動壁は、添加剤タンクと上流側との間に配置されている。
【００６５】
本発明の別の特徴によれば、可動壁は、添加剤タンクと下流側との間に配置されている。
【００６６】
本発明はまた、添加剤添加および診断システムであって、液体添加剤分配装置が、分配チャネルによって燃料循環回路内に添加剤を拡散させるのを可能にする液体添加剤タンクと、燃料循環回路と連通する添加剤チャンバと、一方で漏れ止め分離を提供し、他方で添加剤タンク内の添加剤と添加剤チャンバ内の燃料との間で同じ圧力を維持する、前記添加剤チャンバと前記添加剤タンクとの間の少なくとも１つの可動かつ漏れ止め壁と、少なくとも１つのろ過要素とを備え、分散装置は、燃料循環回路に永久的に取り付けられるように意図されかつ燃料循環回路内に添加剤を分配するチャネルを備える拡散頭部、他方で、ろ過要素、添加剤タンクおよび可動かつ漏れ止め壁を備えるカートリッジを備え、前記カートリッジが、拡散頭部に取外し可能に取り付けられていることを特徴とする、システムに関する。
【００６７】
本発明の分配装置の１つの利点は、新たなエンジンの設計中にかつ既存のエンジンに添加剤拡散器を組み込むことを可能にするという事実にある。
【００６８】
本発明の別の利点は、定義された量の添加剤を正確に拡散することができる可能性にある。
【００６９】
本発明の別の利点は、複数のタイプの添加剤を、それらの組成を問わずかつ／またはそれらの物理化学的特性を問わず拡散させることができるという可能性にある。
【００７０】
本発明の別の利点は、添加剤分配装置が小型であることにある。
【００７１】
ここで、燃料添加剤添加および診断システム、特に上述した好ましい実施形態に対応するシステムについて、添付の図を参照してより詳細に説明する。
【００７２】
図１は、内燃機関用の燃料循環回路１を概略的に表す。従来、燃料循環回路１は、燃料タンク２と高圧有孔分配管４（コモンレールとしても知られる）との間に配置され、タンクと高圧有孔分配管との間の燃料の循環を提供する。供給回路は、燃料をろ過するように意図されたフィルタ９と高圧ポンプ７とを備えている。高圧ポンプ７および高圧有孔分配管４は、燃料噴射系を構成している。「供給ライン」としても知られる第１管５は、タンク２から高圧有孔分配管４に向かう燃料の循環を提供し、「戻りライン」としても知られる第２管６は、噴射系からタンク２に向かう燃料の循環を提供する。したがって、燃料は、タンク２内に圧送され、その後、フィルタ９でろ過され、圧力下でポンプ７を介して高圧有孔分配管４内に送出され、その後、一部がエンジンの噴射装置３に向けられ、別の部分が、戻りライン６によってタンク２に戻される。燃料の一部を、高圧ポンプ７から戻りライン６に向かって送ることも可能である。燃料循環回路１はまた、本発明による液体添加剤分配装置８も備えており、その動作については後に説明する。例としてかつ暗示的な限定なしに、添加剤分配装置８は、供給ライン５にあるように表されているが、後に説明するように、前記添加剤分配装置８を、燃料戻りライン６に配置することも可能である。
【００７３】
代替形態では、図２に表すように、添加剤分配装置８を、燃料タンク２内に配置することも可能である。
【００７４】
この実施形態では、燃料循環回路１は、燃料タンク２の内側とエンジンとの間の燃料の循環と、任意選択的にタンク２に向かう燃料の戻りとを提供する。したがって、分配装置８を支持する燃料循環回路１の部分は、燃料タンク２内側に延在している。
【００７５】
図３は、添加剤分配装置の第１実施形態を断面図で表す。この実施の例では、添加剤分配装置８は、頭部１０と、液体添加剤タンク１２が配置される添加剤チャンバ２２を形成する交換可能カートリッジ１１とを備えている。頭部１０は、燃料入口オリフィス１３と、燃料用の出口オリフィス１４と、燃料用の入口オリフィスと出口オリフィスとの間に位置するベンチュリ２１と、燃料用の入口オリフィスと交換可能カートリッジ１１内部の添加剤チャンバ２２との間の燃料の通路を提供する管１８と、添加剤をベンチュリ２１内に拡散させるためのタンク１２からオリフィス１７に向かう液体添加剤の通路を提供する添加剤分配チャネル１６とを備えている。この実施の例では、添加剤分配チャネル１６は、第１部分１６ａとそれより断面が小さい第２部分１６ｂとを示している。指部２０とコイル２３とから構成されたアクチュエータ１５が、添加剤分配チャネルの部分１６ａと部分１６ｂとの間の通路を封止するのを可能にする。この実施の例において（図４から図８においても）、添加剤タンク１２は、添加剤チャンバ２２内に存在する燃料とタンク１２の内部の添加剤との間の可動かつ漏れ止め壁を構成する可撓性バッグ３２の形態で提供される。
【００７６】
本発明は以下のように動作する。
【００７７】
添加剤分配装置８は、燃料供給ラインにまたは燃料戻りラインに接続される。したがって、燃料は、燃料用の入口オリフィス１３と出口オリフィス１４との間で連続的に循環する。
【００７８】
圧力差をもたらす既知の手段を構成するベンチュリ２１は、添加剤分配オリフィス１７と燃料入口オリフィス１３との間に低圧をもたらす。
【００７９】
管１８を介して燃料入口オリフィス１３と連通する添加剤チャンバ２２は、燃料入口オリフィス１３において循環する燃料と同じ圧力で燃料が充填され、添加剤タンクの可動かつ漏れ止め壁を構成する可撓性バッグ３２は、添加剤タンク１２内の添加剤とチャンバ２２内の燃料との間で同じ圧力を維持する。
【００８０】
したがって、添加剤タンク１２内の圧力は、添加剤拡散オリフィス１７において主流である圧力より大きく、それにより、強制的に、添加剤は、タンク１２から添加剤拡散オリフィス１７に向かって移動し、その後、ベンチュリ２１内で循環している燃料内に、したがって燃料循環回路内に拡散する。アクチュエータ１５により、添加剤の循環が完全にまたは部分的に阻止することが可能になる。
【００８１】
この実施の例では、アクチュエータ１５は、添加剤分配チャネルを完全にまたは部分的に封止する電気機械的手段を例示している。しかしながら、こうした手段の使用は任意選択的であり、本発明を、明らかに、添加剤分配チャネルを封止することなく、または添加剤分配チャネルを封止する他の手段、たとえばサーマルバルブ、「アンブレラ」バルブ、逆止めバルブまたは液圧制御バルブを使用して、実施することができる。
【００８２】
図４〜図１１は、少なくとも１つのろ過要素を備える本発明による添加剤分配装置を示す。
【００８３】
図４は、本発明の第１代替実施形態を示す。この代替実施形態では、頭部１０は、図３に表すものと同じであり、添加剤タンク１２はまた可撓性バッグ３２によって構成されている。カートリッジ１１は漏れ止め壁３０を備え、それは、カートリッジの複数の壁と相互作用して、一方では、液体添加剤タンク１２が配置される添加剤チャンバ２２、他方では、ろ過要素２５が配置されるろ過チャンバ２４の境界を定めている。したがって、添加剤タンク１２およびろ過要素２５は、横に並んで配置されているが、漏れ止め壁３０によって分離されている。ろ過要素２５は環状形状であり、それを燃料が横切る。ろ過要素２５は、ろ過チャンバ２４内で、一方では、未ろ過燃料が循環する、燃料タンク２（この図には示さず）とろ過要素２５との間に位置する未ろ過燃料の領域、すなわち「上流側２８」と、ろ過済み燃料が循環する、ろ過要素２５と燃焼機関（この図には示さず）との間に配置されたろ過済み燃料の領域、すなわち「下流側２９」との境界を定めている。こうした実施形態では、有利には、燃料のろ過および液体添加剤の分配の機能を独立して提供することが可能になる。したがって、燃料フィルタは供給ライン５に接続され、添加剤分配を、供給ライン５および戻りライン６の両方で行うことができる。
【００８４】
図５は、本発明の第２代替実施形態を示す。この代替実施形態では、添加剤タンク１２およびろ過要素２５は、横に並べて配置され、壁３０によって分離されているが、連通チャネル１８により、燃料が、ろ過要素の下流側２９と液体添加剤タンク１２が配置される添加剤チャンバ２２との間を直接循環することが可能になる。頭部１０の燃料入口オリフィス１３は、ろ過要素の下流側２９に直接接続されている。添加剤拡散オリフィス１７は、燃料供給ラインにおいて、ろ過要素の下流側２９と内燃機関（図示せず）との間に配置されている。したがって、可動壁３２は、添加剤タンク１２とろ過要素の下流側２９との間に配置され、添加剤は、ろ過要素の下流側２９において拡散される。
【００８５】
図６は、本発明の別の代替実施形態を示す。この代替実施形態では、添加剤タンク１２およびろ過要素２５は、カートリッジ１１内で軸方向に重なっており、連通チャネルが、燃料がろ過要素の上流側と液体添加剤タンク１２が配置される添加剤チャンバ２２との間で循環するのを可能にする。添加剤タンク１２は、導管３１によって添加剤分配チャネル１６に接続されており、導管３１の上端は、添加剤分配チャネル１６の第１部１６ａの下端と相互作用する。導管３１は、ここでは、環状ろ過要素２５と同軸であり、漏れ止め式に環状ろ過要素２５の中心を貫通している。この実施の例では、導管３１は添加剤タンク１２と一体化している。添加剤拡散オリフィス１７は、燃料供給ラインにおいてろ過要素の上流側２８と燃料タンク（図示せず）との間に配置されている。したがって、可動壁３２は、添加剤タンク１２とろ過要素の上流側２８との間に配置され、添加剤は、ろ過要素の上流側２８において拡散される。
【００８６】
図７は、本発明のさらに別の代替実施形態を示す。この代替実施形態では、ろ過要素２５は形状が環状であり、添加剤タンク１２は、前記ろ過要素２５の内部で同心状に配置されている。燃料は、この例では、ろ過要素２５の外側から内側に向かって迅速に循環し、添加剤拡散オリフィス１７は、燃料供給ラインにおいてろ過要素の下流側２９と内燃機関（図示せず）との間に配置されている。したがって、可動壁３２は、添加剤タンク１２とろ過要素の下流側２９との間に配置され、添加剤は、ろ過要素の下流側２９において拡散される。
【００８７】
図８は、本発明の別の代替実施形態を示す。この代替実施形態では、添加剤タンク１２およびろ過要素２５は、軸方向に重なり、壁によって分離されているが、連通チャネル１８が、燃料がろ過要素２５の上流側２８と液体添加剤タンク１２が配置される添加剤チャンバ２２との間を循環するのを可能にする。添加剤拡散オリフィス１７は、供給ラインにおいて、ろ過要素の下流側２９と内燃機関（図示せず）との間に配置されている。したがって、可動壁３２は、添加剤タンク１２とろ過要素２５の上流側２８との間に配置されており、添加剤は、ろ過要素の下流側２９において拡散される。この実施形態では、圧力差をもたらす手段は、ろ過要素２５によって形成されている。
【００８８】
図９は、可動かつ漏れ止め壁が膜３３によって形成される、図８に示す装置の代替形態である。
【００８９】
図１０は、可動かつ漏れ止め壁がピストン３４によって形成される、図８に示す装置の代替形態である。
【００９０】
これらの実施形態は、例示として述べられており、決して限定するものではない。本発明は、他の代替形態で実施することができる。たとえば、圧力差をもたらす手段を、ダイアフラムの形態で提供することができ、または添加剤タンクを、ろ過要素の外側に同心状に配置することができる。
【００９１】
図１１は、本発明のさらに別の代替実施形態を示す。この代替実施形態では、添加剤は、噴射系の下流にかつ燃料タンク２（図示せず）に向かって、内燃機関の燃料戻りライン６内に拡散される。このように示される液体添加剤分配装置は、一方では、燃料循環回路に永久的に取り付けられるように意図されかつ添加剤を燃料回路内に分配するチャネル１６を備える拡散頭部１０、他方では、ろ過要素２５、添加剤タンク１２および可動かつ漏れ止め壁３２を備えるカートリッジ１１を備えており、前記カートリッジ１１は、拡散頭部１０に取外し可能に取り付けられている。この実施の例では、添加剤が添加剤タンク１２から分配チャネル１６に向かって循環するのを可能にする導管３１は、頭部１０と一体化しており、カートリッジ１１が頭部１０と一体となった時に可撓性バッグ３２を貫通するために傾斜端を備えている。
【００９２】
図に示す実施の例は、暗に示すためのものであり決して限定するものではない。当業者は、本発明が、本明細書には表されていないが上述したいくつかの実施形態の組合せからまたは１つの図の１つまたは複数の特徴を別の図の特徴と置き換えることからもたらされる実施形態にも関連することを理解するであろう。
【００９３】
本発明による分配装置によって使用することができる種々の添加剤について、この観点からより詳細に説明するが、これらの添加剤は、本明細書に関連する技術分野において周知である。
【００９４】
これらの添加剤を、２つのカテゴリに分類することができ、すなわち、一方は、粒子フィルタの再生に役立つ触媒機能を有する添加剤であり、他方は、エンジンの燃料の分配を促進する添加剤、エンジンの運転の性能を向上させる添加剤、またはエンジンの運転の安定性を向上させる添加剤等、触媒機能以外の機能を有する添加剤である。
【００９５】
使用される添加剤は、概して液体形態で提供され、液体あるいは液体の混合物、液体ベースのコロイド懸濁液、またはゲル形態（ゲルの粘度により添加剤が流れることができる）から構成され得る。
【００９６】
しかしながら、必要な量の添加剤を燃料内に放出するために徐々に溶解するかまたは解凝集する（ｄｅａｇｇｌｏｍｅｒａｔｅ）固体添加剤を使用することも可能である。
【００９７】
再生に役立つ添加剤
これらの添加剤は、概して２０℃〜４５℃の動作温度範囲では理想的には液体であるが、ゲルまたは固体等、別の物理的形態でもあり得る。
【００９８】
これらの添加剤は、すすの燃焼に触媒作用を及ぼすのに有効なあらゆるタイプの触媒、特に白金、ストロンチウム、ナトリウム、マンガン、セリウム、鉄および／またはそれらの組合せを含むことができる。
【００９９】
燃料に必要な添加剤の量は、概して、少なくともおよそ１ｐｐｍ、最大およそ１００ｐｐｍであり、この量は、燃料の重量に対する添加剤金属元素の量によって表される。
【０１００】
これらの添加剤を、燃料に溶けるかまたは分散する有機金属塩または有機金属塩の混合物で提供することができる。これらの塩は、少なくとも金属成分と、概して酸を起源とする錯体形成する有機成分とを含み、この組合せが溶剤において懸濁していることを特徴とする。
【０１０１】
ＦＢＣ添加剤を、燃料に溶けるかまたは分散する有機金属錯体または有機金属錯体の混合物の形態で提供することができる。これらの錯体は、少なくとも金属成分と少なくとも２つの錯体形成する有機成分とを含むことを特徴とする。こうした生成物は、たとえば独国特許第２２５４６１０号明細書に記載されている。
【０１０２】
同様に、ＦＢＣ添加剤を、たとえば非晶質または結晶質金属酸化物またはオキシ水酸化物のナノ粒子のコロイド分散体または懸濁液の形態で提供することも可能である。
【０１０３】
「コロイド分散体」という表現は、本明細書では、液相中に懸濁した、添加剤をベースとするコロイド次元の微細な固体粒子からなる系を示し、前記粒子は、さらに、たとえば硝酸塩、酢酸塩、クエン酸塩、アンモニウムまたは塩化物等、残留量の結合イオンまたは吸収イオンを任意選択的に含むことができる。「コロイド次元」という用語は、およそ１ｎｍ〜およそ５００ｎｍの寸法を意味するものと理解される。これらの粒子は、より詳細には、最大１００ｎｍ、より詳細にはさらに最大２０ｎｍの平均サイズを示す。
【０１０４】
コロイド分散形態でのＦＢＣ添加剤の場合、粒子は、希土類元素金属、および／または周期表の第ＩＩＡ族、第ＩＶＡ族、第ＶＩＩＡ族、第ＶＩＩＩ族、第ＩＢ族、第ＩＩＢ族、第ＩＩＩＢ族および第ＩＶＢ族から選択された金属をベースとすることができる。
【０１０５】
「希土類元素金属」という用語は、イットリウムと周期表の５７番と７１番との間（それらも含む）の原子番号の元素とからなる群の元素を意味するものと理解される。
【０１０６】
参照する元素の周期表は、Ｓｕｐｐｌｅｍｅｎｔ  ｔｏ  ｔｈｅ  Ｂｕｌｌｅｔｉｎ  ｄｅ  ｌａ  Ｓｏｃｉｅｔｅ  Ｃｈｉｍｉｑｕｅ  ｄｅ  Ｆｒａｎｃｅ，Ｎｏ．１（１９６６年１月）で発行されたものである。
【０１０７】
コロイド分散体の形態で使用することができるこれらの添加剤に対して、希土類元素金属を、より詳細には、セリウム、ランタン、イットリウム、ネオジウム、ガドリニウムおよびプラセオジウムから選択することができる。特に、セリウムを選択することができる。金属を、ジルコニウム、鉄、銅、ガリウム、パラジウムおよびマンガンから選択することができる。特に、鉄を選択することができる。鉄は、非晶質化合物または結晶化合物の形態であり得る。
【０１０８】
より詳細には、セリウムおよび鉄の組合せをベースとするコロイド分散体も言及することができる。
【０１０９】
コロイド分散体は、より詳細には、
−  有機相、
−  有機相中に懸濁した、上述したタイプ（特に、希土類元素金属および／または第ＩＩＡ族、第ＩＶＡ族、第ＶＩＩＡ族、第ＶＩＩＩ族、第ＩＢ族、第ＩＩＢ族、第ＩＩＩＢ族および第ＩＶＢ族から選択された金属）の添加剤の粒子、
−  少なくとも１つの両親媒性物質
を含むことができる。
【０１１０】
これらのコロイド分散体は、特に、鉄または鉄化合物をベースとする添加剤を含むことができる。
【０１１１】
コロイド分散体を、特に以下の特許出願に記載されている種々の実施形態に従って提供することができる。すなわち、欧州特許第６７１  ２０５号明細書、国際公開第９７／１９０２２号パンフレット、同第０１／１０５４５号パンフレット、同第０３／０５３５６０号パンフレット、同第２００８／１１６５５０号パンフレットである。
【０１１２】
他の添加剤
ＦＢＣとは異なり触媒機能以外の機能を有する他のタイプの既知の添加剤もまた、循環回路に注入することができる。これらの添加剤により、エンジンにおける燃料の分配を促進することができかつ／またはエンジンの運転の性能を向上させることができかつ／またはエンジンの運転の安定性を向上させることもできる。
【０１１３】
エンジンにおける燃料の分配を促進する添加剤としては、たとえば、有機シリコーン等の発泡防止剤と、低分子量のアルコールまたはグリコール等の凍結防止添加剤が挙げられる。
【０１１４】
他の添加剤は、冷間条件下でのエンジンの運転を促進する添加剤である。燃料が濁るかまたは固化する温度を低下させるポリマー添加剤、流体における乱流を低減し流量を２０％〜４０％増大させることができる、高分子量のポリマー等、流れを促進する添加剤を言及することができる。
【０１１５】
腐食防止剤もまた使用することができる。
【０１１６】
セタン価向上剤、オクタン化向上剤、煙抑制剤、ＦＭ（摩擦調整剤（Ｆｒｉｃｔｉｏｎ  Ｍｏｄｉｆｉｅｒ））添加剤として知られる摩擦による損失を低減する添加剤、または「極圧」添加剤等、エンジンの運転性能を向上させる添加剤もまた使用することができる。
【０１１７】
噴射装置におけるいかなる沈殿物も制限するように意図された洗浄添加剤も使用することができる。これは、燃料が、特に高圧燃料噴射装置において特に噴射装置の穴において、燃料回路に沈殿物を形成する可能性があるためである。沈殿物の形成の程度は、エンジンの設計、特に噴射装置の特性、燃料の組成、エンジンを潤滑するために使用される油の組成によって変化する。さらに、これらの洗浄剤は、たとえば燃料分配システムの汚染から発生する可能性があるか、または脂肪酸エステルの合成プロセスから発生する化合物の痕跡でもある可能性がある、ＺｎまたはＣｕ等、燃料における金属化合物の存在の悪影響を低減するのにも有効である。
【０１１８】
過剰な沈殿物は、たとえば、噴射装置からもたらされる燃料の噴流の空気力学を変更する可能性があり、それがさらに、空気／燃料混合を妨げる可能性がある。場合によっては、これにより、過剰な燃料が消費され、エンジンの出力が損失し、汚染物質の放出が増大することになる。
【０１１９】
洗浄添加剤は、すでに形成された沈殿物を溶解し、新たな沈殿物の形成を防止するために、沈殿物前駆物質の形成を低減するという際立った特徴を示す。洗浄添加剤の例は、たとえば国際公開第２０１０／１５００４０号パンフレットに記載されている。
【０１２０】
特に高圧ポンプおよび噴射装置の摩耗または焼付きを防止するために、潤滑力を向上させる添加剤も使用することができ、燃料の潤滑力自体は並みである。それら潤滑剤は、金属表面に保護膜を形成するために金属表面によって吸引される極性基を含む。
【０１２１】
エンジンの動作安定性を向上させる添加剤を想定することができる。これは、燃料の不安定性により、噴射装置のファウリング、燃料フィルタの閉塞、ならびにポンプおよび噴射系のファウリングに関与するガムが形成されることになるためである。
【０１２２】
以下の添加剤も使用することができる。
−  酸化防止剤タイプの添加剤、
−  安定剤、
−  所定の金属の触媒効果を中和することを目的とする金属不活性剤、
−  形成された粒子を分散させ極めて大きい粒子の凝集を防止することを目的とする分散剤。
【０１２３】
特定の実施形態によれば、添加剤は、洗浄添加剤と潤滑添加剤と、任意選択的に腐食抑制剤の組合せである。
【０１２４】
ＰＦを装備する車両の場合、ＦＢＣタイプの添加剤に、特許出願、国際公開第２０１０／１５００４０号に記載されているような洗浄剤タイプの少なくとも１つの燃料性能添加剤を組み合わせることが有利となる。
【０１２５】
ＰＦを装備する車両の場合、特に、車両が、燃料の品質が可変かつ／または並みである地理的場所で販売される場合、ＦＢＣタイプの添加剤にいくつかの燃料性能添加剤を組み合わせることも有利となる。
【０１２６】
ＰＦを装備していない車両の場合、１つまたは複数の洗浄剤を潤滑添加剤および腐食抑制剤と組み合わせるもの等、種々のタイプの添加剤の組合せを想定することができる。
【０１２７】
ここで実施例について記載する。
【実施例】
【０１２８】
実施例１
この実施例では、ディーゼル燃料におけるＦＢＣタイプの添加剤の存在を検出するために固定波数（５００ｎｍ）の可視分光法を使用する装置の採用について説明する。この例で使用するＦＢＣ添加剤は、特許出願、国際公開ＷＯ２０１０／１５００４０号パンフレットの実施例３の分散体Ｃ等、鉄をベースとする粒子のコロイド懸濁液から構成される。この触媒コロイド懸濁液は、通常、シリンダ容量が２ｌであるＥｕｒｏ  ５エンジンを装備した車両等、所定の車両のＰＦを再生するために、燃料における鉄（金属）が７ｐｐｍ重量である鉄濃度で燃料に添加剤を添加することを可能にする、濃度範囲で使用される。
【０１２９】
この実施例では、４つの異なる燃料を試験した。
−  欧州規格ＥＮ５９０に対応する市販のディーゼル燃料、
−  ９０％のＥＮ５９０ディーゼル燃料と、１０％の規格ＥＮ１４２１４に対応する脂肪酸メチルエステル（ＦＡＭＥ）をベースとするバイオディーゼルとを含むディーゼルバイオ燃料Ｂ１０、
−  ７０％のＥＮ５９０ディーゼル燃料と、３０％の規格ＥＮ１４２１４に対応する脂肪酸メチルエステル（ＦＡＭＥ）をベースとするバイオディーゼルとを含むディーゼルバイオ燃料Ｂ３０、
−  石油会社ＴｏｔａｌのＮＡＴＯ  ＲＦ６３燃料に対応する灯油留分燃料。
【０１３０】
これらの燃料に、厳密な量のＦＢＣ添加剤を添加し、５ｐｐｍ重量、６ｐｐｍ重量または１０ｐｐｍ重量に対応する燃料のＦＢＣ含有量をもたらした。
【０１３１】
添加剤添加の前および後の各燃料を、５００ｎｍの波長の分光計によって分析し、燃料による光の吸光度を記録する。これらの吸光度を以下の表１に示す。
【０１３２】
添加剤のない燃料は、吸光度が０．０４２〜０．１４１で変化する可能性があることが分かる。それらの場合の各々において、非常にわずかな量であっても、ＦＢＣ添加剤の添加により、吸光度が増大し（Ａ２、Ａ３またはＡ４）、増大は、添加されたＦＢＣの量が増大するにしたがって比例して増大する。これは、実際に、添加剤添加の前および後の５００ｎｍでの燃料の吸光度の比較により、添加剤添加があった（増大する）かまたはなかった（増大しない）かを検出することが可能になることを示す。
【０１３３】
表はまた、添加剤が添加された燃料と添加剤が添加されていない燃料との吸光度の差は、一定の添加剤の含有量の場合、いずれの燃料であっても同じであることも示す。すなわち、典型的には、５ｐｐｍの鉄に対して０．０１５〜０．０１６および１０ｐｐｍの鉄に対して０．０３１〜０．０３５であり、６ｐｐｍの鉄によって中間の相対的な吸光度（０．０２３）がもたらされる。この差は、燃料における添加剤の含有量に比例する。したがって、吸光度の差の値により、添加剤添加の過剰（または不足）を検出することが明らかに可能である。これは、この装置によってシステムのドリフトを検出することができることを示す。
【０１３４】
2015507718.tif 000003
【０１３５】
実施例２
この実施例は、実施例１のものと同じ液体添加剤の、図３で説明したような装置と、燃料タンクにおいて測定を行う分光計と、燃料回路の戻りラインに添加剤を注入する分配装置との組合せにおいて、固定波数（５００ｎｍ）での可視分光法を使用する装置の採用を示す。
【０１３６】
注入装置は、６ｍｍの燃料ライン１３の入口断面を示し、直径が５．０６ｍｍのベンチュリ２１を備え、それは、１６０ｌ／ｈの燃料の循環流量に対し、燃料の圧力に対して１６ｍｂａｒの圧力の差を添加剤に与える。添加剤を、長さが２１ｍｍであり直径が０．６ｍｍである添加剤分配チャネル１６ｂによって燃料内に分配する。
【０１３７】
注入装置を、燃料における鉄の４ｐｐｍの変化しない濃度を達成するように、タンクへの燃料の各追加の後に、ある量の添加剤を注入するために調整する。
【０１３８】
添加剤の各注入の開始前に、かつ添加剤の各注入の終了後に、車両に搭載された可視分光計によって、燃料の分析（規格ＥＮ５９０に対応する市販のディーゼル）を行う。
【０１３９】
車両における誤動作をシミュレートするために、車両の燃料タンクの４回目の充填の前に、添加剤注入装置を燃料回路から切断した。
【０１４０】
2015507718.tif 000004
【０１４１】
最初の３回の注入の間、吸光度信号は、添加剤の添加中に増大する（Ａ２＞Ａ１）ことが分かる（表２）。添加剤の添加に続く吸光度の差は、最初の３回の添加にわたって非常に類似している（Ａ２−Ａ１）。
【０１４２】
一方、添加剤注入装置が４回目の注入を飛ばした場合、理論的な添加剤添加後の燃料の吸光度は増大せず、吸光度の差Ａ２−Ａ１は実質的にゼロであり、それは、システムの添加剤注入システムの誤動作を検出する能力を論証することが分かる。
【図１】
2015507718.tif 000005
【図２】
2015507718.tif 000006
【図３】
2015507718.tif 000007
【図４】
2015507718.tif 000008
【図５】
2015507718.tif 000009
【図６】
2015507718.tif 000010
【図７】
2015507718.tif 000011
【図８】
2015507718.tif 000012
【図９】
2015507718.tif 000013
【図１０】
2015507718.tif 000014
【図１１】
2015507718.tif 000015
【国際調査報告】
2015507718.tif 000016
2015507718.tif 000017
2015507718.tif 000018
2015507718.tif 000019
2015507718.tif 000020
2015507718.tif 000021